(57)【特許請求の範囲】
【請求項１】
ゴム状弾性材製の弾性体（７）を介して一方の取付部（１）と接続された他方の取付部（３）を有する液体封入式マウントにおいて、
前記他方の取付部（３）は、第一ケース（４）と、前記第一ケース（４）に接続された第二ケース（５）とを有し、
前記第一ケース（４）は、前記第二ケース（５）よりも荷重を大きく受ける部分に配置されるとともに前記第二ケース（５）よりも剛性の高い材料にて成形され、
前記第二ケース（５）は、前記第一ケース（４）よりも荷重を余り受けない部分に配置されるとともに前記第一ケース（４）よりも剛性の低い材料にて成形され、
前記第二ケース（５）に、内部構成部品をカシメ固定したカシメ部（５ｂ）が設けられ、
前記第一ケース（４）の内周面および前記第二ケース（５）の上面に前記弾性体（７）が接着されていることを特徴とする液体封入式マウント。
【請求項２】
ゴム状弾性材製の弾性体（７）を介して一方の取付部（１）と接続された他方の取付部（３）を有する液体封入式マウントにおいて、
前記他方の取付部（３）は、第一ケース（４）と、前記第一ケース（４）に接続された第二ケース（５）とを有し、
前記第一ケース（４）は、前記第二ケース（５）よりも荷重を大きく受ける部分に配置されるとともに前記第二ケース（５）よりも板厚を厚く成形され、
前記第二ケース（５）は、前記第一ケース（４）よりも荷重を余り受けない部分に配置されるとともに前記第一ケース（４）よりも板厚を薄く成形され、
前記第二ケース（５）に、内部構成部品をカシメ固定したカシメ部（５ｂ）が設けられ、
前記第一ケース（４）の内周面および前記第二ケース（５）の上面に前記弾性体（７）が接着されていることを特徴とする液体封入式マウント。
【発明の詳細な説明】
【０００１】
【発明の属する技術分野】
本発明は、自動車、産業機械または建設機械等において、防振装置または防振支持装置として用いられる液体封入式マウントに関する。
【０００２】
【従来の技術】
従来から、図３に示すように、一方の取付部５１と他方の取付部５２とをゴム状弾性材製の弾性体５３を介して接続し、他方の取付部５２を第一ケース５４と第二ケース５５とによって構成し、この他方の取付部５２に、キャビンの重量またはキャビンに発生する振動等の荷重を受ける機能（荷重受け機能）と、当該マウントの内部構成部品５６をカシメ固定してこれを支持する機能（部品支持機能）とを持たせた液体封入式マウントが知られている。
【０００３】
しかしながら上記液体封入式マウントには、以下の問題がある。
▲１▼  互いに組み合わされて他方の取付部５２を構成している第一ケース５４と第二ケース５５とが互いに同じ材質で同じ厚さに成形されているために、荷重受け機能を充分に果たすべく両ケース５４，５５の材料に剛性の高いものを選定すると、部品支持機能を果たすためのカシメ作業がやりにくい。
▲２▼  ゴム状弾性材製の弾性体５３が第一ケース５４の内周面に加硫接着されているために、当該マウントに対して上方から荷重Ｐが入力すると弾性体５３が主に剪断方向に弾性変形する。したがって上方から荷重Ｐが繰り返し入力することにより弾性体５３が早期に劣化する虞がある。
【０００４】
【発明が解決しようとする課題】
本発明は以上の点に鑑み、他方の取付部に求められる荷重受け機能を充分に果たすべく他方の取付部の剛性を高く設定しても、同じく他方の取付部に求められる部品支持機能を果たすためのカシメ作業がやりにくくなることがなく、また併せて弾性体が早期に劣化することがない液体封入式マウントを提供することを目的とする。
【０００５】
【課題を解決するための手段】
上記目的を達成するため、本発明の請求項１による液体封入式マウントは、ゴム状弾性材製の弾性体を介して一方の取付部と接続された他方の取付部を有する液体封入式マウントにおいて、前記他方の取付部は、第一ケースと、前記第一ケースに接続された第二ケースとを有し、前記第一ケースは、前記第二ケースよりも荷重を大きく受ける部分に配置されるとともに前記第二ケースよりも剛性の高い材料にて成形され、前記第二ケースは、前記第一ケースよりも荷重を余り受けない部分に配置されるとともに前記第一ケースよりも剛性の低い材料にて成形され、前記第二ケースに、内部構成部品をカシメ固定したカシメ部が設けられ、前記第一ケースの内周面および前記第二ケースの上面に前記弾性体が接着されていることにした。
【０００６】
また本発明の請求項２による液体封入式マウントは、ゴム状弾性材製の弾性体を介して一方の取付部と接続された他方の取付部を有する液体封入式マウントにおいて、前記他方の取付部は、第一ケースと、前記第一ケースに接続された第二ケースとを有し、前記第一ケースは、前記第二ケースよりも荷重を大きく受ける部分に配置されるとともに前記第二ケースよりも板厚を厚く成形され、前記第二ケースは、前記第一ケースよりも荷重を余り受けない部分に配置されるとともに前記第一ケースよりも板厚を薄く成形され、前記第二ケースに、内部構成部品をカシメ固定したカシメ部が設けられ、前記第一ケースの内周面および前記第二ケースの上面に前記弾性体が接着されていることにした。
【０００７】
【作用】
上記構成を備えた本発明の請求項１による液体封入式マウントにおいては、荷重を大きく受ける部分に配置された剛性の高い第一ケースが荷重受け機能を果たし、その一方で、荷重を余り受けない部分に配置されるとともに第一ケースに接続固定された剛性の低い第二ケースがカシメ部を備えていて部品支持機能を担当する。したがってこのように部品を使い分けすることにより第二ケースが比較的簡単に変形するため、カシメ作業を容易化することが可能となる。また弾性体が第一ケースの内周面のみでなく第二ケースの上面にも接着されているために、当該マウントに対して上方から荷重が入力したときに、弾性体が剪断方向のみでなく圧縮方向にも弾性変形する。したがって弾性体の耐久性を向上させることが可能となる。
【０００８】
また上記構成を備えた本発明の請求項２による液体封入式マウントにおいては、荷重を大きく受ける部分に配置された板厚の厚い第一ケースが荷重受け機能を果たし、その一方で、荷重を余り受けない部分に配置されるとともに第一ケースに接続固定された板厚の薄い第二ケースがカシメ部を備えていて部品支持機能を担当する。したがってこのように部品を使い分けすることにより第二ケースが比較的簡単に変形するため、カシメ作業を容易化することが可能となる。また弾性体が第一ケースの内周面のみでなく第二ケースの上面にも接着されているために、当該マウントに対して上方から荷重が入力したときに、弾性体が剪断方向のみでなく圧縮方向にも弾性変形する。したがって弾性体の耐久性を向上させることが可能となる。
【０００９】
【発明の実施の形態】
第一ケースおよび第二ケースはそれぞれ環状ないし筒状の部分を有しており、この部分において互いに同心的に接続固定される。接続固定の方法は特に限定されないが、溶接またはかち込みが好適である。
【００１０】
【実施例】
つぎに本発明の実施例を図面にしたがって説明する。
【００１１】
図１および図２に示すように、センターボス２を備えた一方の取付部１と、第一ケース４、第二ケース５およびカップ状の蓋６を備えた他方の取付部３とが環状を呈するゴム状弾性材製の弾性体（ゴム脚部とも称する）７を介して接続されており、他方の取付部３にゴム状弾性材製のダイアフラム８がその外周縁部をもって接続され、これらに囲まれて当該マウントの内部に気密空間９が設けられ、この気密空間９が、他方の取付部３の内側（第二ケース５の内周側）に配置された仕切部（仕切板、オリフィス部材またはオリフィスケースとも称する）１０によって一方の取付部１側（上側）の第一液室（主液室とも称する）１１と、ダイアフラム８側（下側）の第二液室（副液室とも称する）１２とに仕切られ、両室１１，１２がオリフィス１３によって互いに連通せしめられ、両室１１，１２に粘性流体等の作動液（内封液とも称する）１４が封入されている。
【００１２】
他方の取付部３において、第一ケース４は、内周面に弾性体７を加硫接着した筒状部４ａと、この筒状部４ａの上端外周側に二等配で配置された取付フランジ部４ｂとを一体に備えている。第二ケース５は、オリフィス１３を上方から囲みかつ上面に弾性体７を加硫接着した環状の内側部分５ａと、仕切部１０、ダイアフラム８および蓋６の各外周縁部をカシメ固定してこれらを支持した環状のカシメ部５ｂとを一体に備えており、前者の内側部分５ａが第一ケース４の筒状部４ａの下端内周側に配置されて溶接またはかち込みされることにより、この第二ケース５が第一ケース４に接続固定されている。また第一ケース４はＳＰＣＣまたはＳＰＨＣ等の剛性の比較的高い材料によって成形されており、これとの比較において第二ケース５は剛性の比較的低い材料によって成形されている。第一ケース４と第二ケース５は二つ合わせてブラケットと称されることがある。
【００１３】
弾性体７は一方の取付部１のセンターボス２に加硫接着され、また上記したように他方の取付部３の第一ケース４の内周面と第二ケース５の上面とに加硫接着されている。弾性体７には第一ケース４の内周側に位置してすぐり部７ａが設けられており、また第一ケース４の上側に位置して変位量を制限するストッパ７ｂが設けられている。
【００１４】
オリフィス１３は弾性体７の下面に凹設された溝をその下側から仕切部１０で閉塞したもので、この溝と第一液室１１とを連通させるべく弾性体７および第二ケース５に切欠１３ａが設けられ、またこの溝と第二液室１２とを連通させるべく仕切部１０に透孔（図示せず）が設けられている。
【００１５】
上記構成を備えた液体封入式マウントは、例えば一方の取付部１を自動車のキャビン側に接続するとともに他方の取付部３をその第一ケース４の取付フランジ部４ｂをもって車体側に接続してキャビンを防振支持するもので、上記構成により以下の作用効果を奏する点に特徴を有している。
【００１６】
▲１▼  荷重を比較的大きく受ける部分に配置された剛性の比較的高い第一ケース４が荷重受け機能を果たし、その一方で、荷重を余り受けない部分に配置されるとともに第一ケース４に接続固定された剛性の比較的低い第二ケース５がカシメ部５ｂを備えていて、仕切部１０およびダイアフラム８等の内部構成部品をカシメ固定し、部品支持機能を担当する。したがってこのように部品が使い分けされていることにより第二ケース５がカシメ作業時に比較的簡単に変形するため、カシメ作業を容易化することができる。
▲２▼  弾性体７が第一ケース４の内周面のみでなく第二ケース５の上面にも接着されているために、当該マウントに対して上方から荷重が入力したときに、弾性体７が剪断方向のみでなく圧縮方向にも弾性変形する。したがって弾性体７の耐久性を向上させることができる。また両ケース４，５が互いに接続固定される他に弾性体７が両ケース４，５に加硫接着されているために、ケース４，５同士の結合力が大きい。
▲３▼  オリフィス１３を形成するための部品点数が少ないために、コスト的に有利である。
【００１７】
上記実施例においては、第一ケース４と第二ケース５とを剛性の高低により使い分けしたが、これに代えて、両ケース４，５を板厚の大小により使い分けしても良い。この場合、両ケース４，５は同じ材質によって成形される。
【００１８】
【発明の効果】
本発明は、以下の効果を奏する。
【００１９】
すなわち、先ず、本願の請求項１に係る発明は以下の効果を奏する。
（１）荷重を大きく受ける部分に配置された剛性の高い第一ケースが荷重受け機能を果たし、その一方で、荷重を余り受けない部分に配置されるとともに第一ケースに接続固定された剛性の低い第二ケースがカシメ部を備えていて部品支持機能を担当する。したがってこのように部品が使い分けされていることにより第二ケースがカシメ作業時に比較的簡単に変形するため、カシメ作業を容易化することができる。
（２）ゴム状弾性材製の弾性体が第一ケースの内周面のみでなく第二ケースの上面にも接着されているために、当該マウントに対して上方から荷重が入力したときに、弾性体が剪断方向のみでなく圧縮方向にも弾性変形する。したがって弾性体の耐久性を向上させることができる。また両ケースが互いに接続固定される他に弾性体が両ケースに加硫接着されているために、ケース同士の結合力が大きい。
【００２０】
また本願の請求項２に係る発明は以下の効果を奏する。
（１）荷重を大きく受ける部分に配置された板厚の厚い第一ケースが荷重受け機能を果たし、その一方で、荷重を余り受けない部分に配置されるとともに第一ケースに接続固定された板厚の薄い第二ケースがカシメ部を備えていて部品支持機能を担当する。したがってこのように部品が使い分けされていることにより第二ケースがカシメ作業時に比較的簡単に変形するため、カシメ作業を容易化することができる。
（２）ゴム状弾性材製の弾性体が第一ケースの内周面のみでなく第二ケースの上面にも接着されているために、当該マウントに対して上方から荷重が入力したときに、弾性体が剪断方向のみでなく圧縮方向にも弾性変形する。したがって弾性体の耐久性を向上させることができる。また両ケースが互いに接続固定される他に弾性体が両ケースに加硫接着されているために、ケース同士の結合力が大きい。
【図面の簡単な説明】
【図１】本発明の実施例に係る液体封入式マウントの一部切欠した正面図
【図２】同実施例に係る液体封入式マウントの平面図
【図３】従来例に係る液体封入式マウントの断面図
【符号の説明】
１  一方の取付部
２  センターボス
３  他方の取付部
４  第一ケース
４ａ  筒状部
４ｂ  取付フランジ部
５  第二ケース
５ａ  内側部分
５ｂ  カシメ部
６  蓋
７  弾性体
７ａ  すぐり部
７ｂ  ストッパ
８  ダイアフラム
９  気密空間
１０  仕切部
１１，１２  液室
１３  オリフィス
１３ａ  切欠
１４  作動液
【図１】
0003633716.tif 000002
【図２】
0003633716.tif 000003
【図３】
0003633716.tif 000004